(57)【要約】【要  約】【課  題】食器洗浄機などのビルトイン機器の取付開口を容易に閉塞させてキッチンカウンターのスペースを有効活用できるビルトイン機器取付開口の閉塞装置及びその閉塞方法を提供すること。【解決手段】カウンタートップ式の食器洗浄機等、ビルトイン機器の取付相手部材７に形成された取付開口８の全周縁に対応する下向きの折曲部３を有するとともに内側にその折曲高さ寸法より大きい肉厚をもったパッキン材４が周設され、且つその背面に取付板５が固着された閉塞板本体２を、該取付板５に結合する結合手段６を介して前記取付開口８の周縁部８ａを挟むように取付相手部材７に固着させて成る。【選択図】図１
2006061171.tif 000002
【特許請求の範囲】
【請求項１】
カウンタートップ式の食器洗浄機等、ビルトイン機器の取付相手部材に形成された取付開口の全周縁に対応する下向きの折曲部を有するとともに内側にその折曲高さ寸法より大きい肉厚をもったパッキン材が周設され、且つその背面に取付板が固着された閉塞板本体を、該取付板に結合する結合手段を介して前記取付開口の周縁部を挟むように取付相手部材に固着させて成るビルトイン機器取付開口の閉塞装置。
【請求項２】
請求項１記載のビルトイン機器を前記取付相手部材から撤去させた後に、前記閉塞板本体を取付開口の上面から被せ、前記結合手段を下方より結合させて取付相手部材に閉塞板本体を固着し取付開口を閉塞させるビルトイン機器取付開口の閉塞方法。
【発明の詳細な説明】
【技術分野】
【０００１】
本発明は、システムキッチンのキッチンカウンターなどにビルトインさせた、食器洗浄機などのビルトイン機器を撤去したときの取付開口を閉塞させるビルトイン機器取付開口の閉塞装置及びその閉塞方法に関する。
【背景技術】
【０００２】
従来から図５に示すような、食器洗浄機１０１をキッチンカウンター１００にビルトインさせた食器洗浄機付きキッチンカウンターが知られている。この従来の食器洗浄機付きキッチンカウンターの構造では、キッチンカウンター１００の下方に配設した食器洗浄機１０１の上開口１０２をキッチンカウンター１００に設けた上開口に連通させ、キッチンカウンター１００の開口部１０５を開閉自在とする蓋１０３を支持するための蓋受け枠１０４を開口部１０５の上端部よりも下方に位置させ、該蓋受け枠１０４の上面部を開口部１０５の内側程下になるような傾斜面とし、該傾斜面に蓋１０３を載設支持自在として成る（特許文献１参照）。
【０００３】
この構成によると、キッチンカウンター１００の開口部１０５と蓋１０３の外周端部との間に水が入っても、上記傾斜面に沿って水を食器洗浄器内に流すことができ、蓋受け枠１０４の上面に水が滞留してぬめりが発生したりすることがなく、また、シール性の低下も防止できる。
【０００４】
しかしながら、上記構成の食器洗浄機付きキッチンカウンターにあっては、ビルトインさせた食器洗浄機１０１が老朽化したときに、新たな機種を選択しようとした場合にその適当な代替品が準備できないことが想定される。
【特許文献１】特開平１１−５６４９８号公報
【発明の開示】
【発明が解決しようとする課題】
【０００５】
すなわち、老朽化し故障した食器洗浄機１０１が、撤去されることなく未使用状態にてそのまま放置された場合に、蓋１０３の外周端部との間に水が入って蓋１０３が開放されず、開口部１０５と蓋１０３の外周端部との間に水が滞留したときにおいてぬめりの発生が懸念され、また、キッチンカウンターのスペースを有効利用することが出来ないこととなる。その結果、システムキッチン全体の使い勝手を低下させるとともに、不潔状態となる。
【０００６】
また、キッチンカウンターのスペースを有効に使用するため、老朽化した食器洗浄機１０１を撤去し、開口部１０５をありあわせの板材などで閉塞された場合には、美観を損ねるとともに、キッチンカウンター内部への防水が不充分となることも想定され、放置しておくとキッチンカウンター全体が不潔になる等の懸念があった。
【０００７】
本発明は、このような従来の構成が有していた問題を解決しようとするものであり、食器洗浄機などのビルトイン機器の取付開口を容易に閉塞させてキッチンカウンターのスペースを有効活用できるビルトイン機器取付開口の閉塞装置及びその閉塞方法を提供することを目的とするものである。
【課題を解決するための手段】
【０００８】
上記課題を解決するために、本願発明によるビルトイン機器取付開口の閉塞装置は、カウンタートップ式の食器洗浄機等、ビルトイン機器の取付相手部材に形成された取付開口の全周縁に対応する下向きの折曲部を有するとともに内側にその折曲高さ寸法より大きい肉厚をもったパッキン材が周設され、且つその背面に取付板が固着された閉塞板本体を、該取付板に結合する結合手段を介して前記取付開口の周縁部を挟むように取付相手部材に固着させて成ることとしている。
【０００９】
また、本願発明によるビルトイン機器取付開口の閉塞方法は、前記のビルトイン機器を前記取付相手部材から撤去させた後に、前記閉塞板本体を取付開口の上面から被せ、前記結合手段を下方より結合させて取付相手部材に閉塞板本体を固着し取付開口を閉塞させることとしている。
【００１０】
上記課題解決手段による作用は次の通りである。
【００１１】
すなわち、カウンタートップ式の食器洗浄機等、ビルトイン機器の取付相手部材に形成された取付開口が、その開口全周縁に対応する下向きの折曲部を有するとともにその背面に取付板が固着された閉塞板本体を、その開口周縁部を挟むように取付板に結合する結合手段を取付相手部材に固着させて閉塞される。
【００１２】
また、取付開口の全周縁に対応する下向きの折曲部を有することともにその背面に固着された取付板により、閉塞板本体の強度が大幅に増加するものとなり、さらに、内側にその折曲高さ寸法より大きい肉厚をもったパッキン材が周設されたことにより、当該パッキンが見えずに防水効果を発揮させることができて美観に優れる。
【００１３】
また、ビルトイン機器を前記取付相手部材から撤去させた後に、閉塞板本体を取付開口の上面から被せ、結合手段を下方より結合させて取付開口の周縁部を挟んで取付相手部材に固着させるので、キッチンカウンター内部にスペースが空くとともに当該スペースを利用して容易に強固に取付き、防水効果を確実に発揮できるという効果を奏するのである。
【発明の効果】
【００１４】
上述したように本発明のビルトイン機器取付開口の閉塞装置及びその閉塞方法によると、ビルトイン機器を前記取付相手部材から撤去させた後に、取付板に結合する結合手段を取付相手部材に固着させて閉塞されるので、食器洗浄機などのビルトイン機器の取付開口を容易に閉塞させてキッチンカウンターのスペースを有効活用できるという効果を発揮する。
【発明を実施するための最良の形態】
【００１５】
以下、本発明の一実施形態であるビルトイン機器取付開口の閉塞装置を図１、２に基づいて説明する。
【００１６】
図１は、ビルトイン機器取付開口の閉塞装置を含むキッチンカウンターを下側から見た概略構成図であリ、図２は、同ビルトイン機器取付開口の閉塞装置の閉塞板本体を示し、（ａ）は正面図、（ｂ）は部分側面図である。
【００１７】
このビルトイン機器取付開口の閉塞装置１は、カウンタートップ式の食器洗浄機（図示せず）を撤去させた後のキッチンカウンター７に形成された取付開口８の全周縁に対応する下向きの折曲部３を有するとともに内側にその折曲高さ寸法より大きい肉厚をもったパッキン材４が周設され、且つその背面に取付板５が固着された閉塞板本体２を、該取付板５に結合する結合桟材６を介して前記取付開口８の周縁部８ａを挟むようにキッチンカウンター７に固着させて成る。
【００１８】
具体的には、キッチンカウンター７は、システムキッチンを形成するもので、この場合、ビルトイン機器に相当するカウンタートップ式の食器洗浄機が埋設された取付相手部材であり、例えばシンク（図示せず）の一体形成されたカウンタートップとなる上面部に、図２のように、平面視略長方形状の取付開口８が形成されて成る。
【００１９】
閉塞板本体２は、ステンレス鋼鈑などにより折曲部３がプレス成型にて一体形成された上記取付開口８より一回り大きい長方形状板材であり、且つその背面に、図２（ｂ）に示す断面形状で、その高さが折曲部３と略同一の取付面部５１をもち当該取付面部５１にめねじ５２、５２、５２の刻設された凸状の取付板５が、この場合、短手方向に３つ、基端の複数箇所をスポット溶接等で固着されて成る。また、この閉塞板本体２は、折曲部３の内側に、その折曲高さ寸法より大きい肉厚をもったスポンジ状のパッキン材４が、接着されて周設され、後述する、板金をコ字状に折り曲げた結合桟材６で、取付開口８の周縁部８ａを挟んで固着されるものである。
【００２０】
したがって、全周縁の下向きの折曲部および、背面に固着された上記の取付板５により、閉塞板本体２が補強されることとなって、平面押圧に対する強度が大幅に増加するものとなり、さらに、内側にその折曲高さ寸法より大きい肉厚をもったパッキン材４が周設されたことにより、取付開口８に対する防水効果において、防水パッキンが見えずに発揮させることができて美観に優れる。
【００２１】
結合桟材６は、結合手段に相当するもので、この場合、ステンレス鋼鈑などの板金材料により断面コ字状に折曲形成された長尺材であり、上記取付面部５１と接合する平板面に固定具となるねじ９を挿通させる孔６１、６１、６１が穿設されて成る。
【００２２】
次に、本発明のビルトイン機器取付開口の閉塞方法を、図３、４に基づいて説明する。
【００２３】
この取付開口の閉塞方法にあっては、カウンタートップ式の食器洗浄機を取付相手部材となる前記キッチンカウンター７から撤去させた後に、前記閉塞板本体２を取付開口８の上面から被せ、結合手段となる前記結合桟材６を下方よりねじ９によりねじ結合させてキッチンカウンター７に閉塞板本体２を固着し取付開口８を閉塞させることとしている。
【００２４】
すなわち、ビルトイン機器に相当するカウンタートップ式の食器洗浄機を、取付相手部材のキッチンカウンター７から撤去させた後に、閉塞板本体２を取付開口８の上面から被せ、結合手段となる板金材料をコ字状に折り曲げた結合桟材６を下方よりねじ結合させて取付開口８の周縁部８ａを挟んでキッチンカウンター７に固着させている。その結果、キッチンカウンター７内部にスペースが空くとともに当該スペースを利用して容易に強固に取付き、防水効果を確実に発揮できるという効果を奏するとともに、取付開口を閉塞させた状態においキッチンカウンター７の内部スペースを有効活用でき、さらに周辺に水が溜まることが無いので清潔さが確保できるのである。
【００２５】
したがって、以上説明したように本発明のビルトイン機器取付開口の閉塞装置及びその閉塞方法によると、ビルトイン機器を取付相手部材から撤去させた後に、取付板５に結合する結合桟材６をキッチンカウンター７（取付相手部材）に固着させて閉塞されるので、食器洗浄機などのビルトイン機器の取付開口８を容易に閉塞させてキッチンカウンター７のスペースを有効活用が可能となるのである。
【００２６】
なお、本発明は上記実施例に限定されず、本発明の技術思想の範囲内において、各実施例は適宣変更されることは明かである。すなわちこの技術思想は、例えば食器洗浄機やガス台などの調理機器等、ビルトイン機器寸法のモジュール化を図り、予め当該ビルトイン機器をキッチンカウンターに搭載せず、上記取付開口８に閉塞板本体２を設けたフリースペース付きシステムキッチンを品種として供給し、使用者側において必要とされた時点においてビルトイン機器の装着対応を可能とするようなシステムキッチンにも応用できるのである。
【図面の簡単な説明】
【００２７】
【図１】本発明の実施形態を示すビルトイン機器取付開口の閉塞装置を含むキッチンカウンターを下側から見た概略構成図
【図２】同ビルトイン機器取付開口の閉塞装置の閉塞板本体を示し、（ａ）は正面図、（ｂ）は部分側面図
【図３】本発明のビルトイン機器取付開口の閉塞方法を示し、キッチン食器洗浄機を撤去した後の取付開口部に閉塞板本体を載置する状態の斜視図
【図４】ビルトイン機器取付開口の閉塞方法における完成状態の斜視図
【図５】食器洗浄機付きキッチンカウンターの説明図。
【符号の説明】
【００２８】
１      閉塞装置
２      閉塞板本体
３      折曲部
４      パッキン材
５      取付板
６      結合桟材（結合手段）
７      キッチンカウンター（取付相手部材）
８      取付開口
【図１】
2006061171.tif 000003
【図２】
2006061171.tif 000004
【図３】
2006061171.tif 000005
【図４】
2006061171.tif 000006
【図５】
2006061171.tif 000007